【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
医療器具であって、前記医療器具は、
筐体と、
前記筐体に動作可能に接続されているエンドエフェクタアセンブリと
を備え、
前記エンドエフェクタアセンブリは、
各々が組織接触表面を有する第１および第２のジョー部材であって、前記第１および第２のジョー部材のうちの少なくとも１つは、第１の離間位置と第２の近接位置との間で移動可能であり、前記第２の位置において、前記ジョー部材は、前記ジョー部材間に組織を受け取るように構成されている空洞を画定するように協働する、第１および第２のジョー部材と、
前記第１および第２のジョー部材のうちの少なくとも１つに連結された少なくとも１つの発光要素であって、前記少なくとも１つの発光要素は、光エネルギーを前記第１および第２のジョー部材間に把持された組織に送達し、前記組織を治療するように適合されている、少なくとも１つの発光要素と
を含む、医療器具。
【請求項２】
前記少なくとも１つの発光要素は、介入する光学アセンブリを伴わずに、光を前記組織中に直接放出するように構成されている、請求項１に記載の医療器具。
【請求項３】
前記少なくとも１つの発光要素に連結された光学アセンブリをさらに備え、前記光学アセンブリは、前記少なくとも１つの発光要素からから放出された光を前記組織に伝達し、前記組織を所望の照射パターンで照射するように構成されている、請求項１に記載の医療器具。
【請求項４】
前記光学アセンブリは、光ファイバ、屈折要素、反射要素、回折要素、およびそれらの組み合わせのうちの少なくとも１つを含む、請求項３に記載の医療器具。
【請求項５】
前記光学アセンブリは、前記第１のジョー部材または前記第２のジョー部材のうちの少なくとも１つ内に配置されている、請求項４に記載の医療器具。
【請求項６】
前記光学アセンブリは、前記第１のジョー部材または前記第２のジョー部材のうちの少なくとも１つによって画定される縦軸に沿って、前記第１のジョー部材または前記第２のジョー部材のうちの少なくとも１つ内を平行移動するように構成されている、請求項５に記載の医療器具。
【請求項７】
前記少なくとも１つの発光要素は、発光ダイオード、レーザ、およびそれらの組み合わせから成る群から選択される、請求項１に記載の医療器具。
【請求項８】
前記組織接触表面のうちの少なくとも１つは、吸収性要素を含み、前記吸収性要素は、前記少なくとも１つの発光要素から放出される光エネルギーを吸収し、それによって、前記組織の一部、前記第１のジョー部材、前記第２のジョー部材、およびそれらの組み合わせのうちの少なくとも１つを加熱するように構成されている、請求項１に記載の医療器具。
【請求項９】
前記組織接触表面のうちの少なくとも１つは、前記組織を通過する光を反射するように構成されている反射要素を含む、請求項１に記載の医療器具。
【請求項１０】
前記少なくとも１つの発光要素は、前記筐体内に配置されている、請求項１に記載の医療器具。
【請求項１１】
前記少なくとも１つの発光要素は、前記第１のジョー部材または前記第２のジョー部材のうちの少なくとも１つの縦軸に沿って、前記第１のジョー部材または前記第２のジョー部材のうちの少なくとも１つ内を平行移動するように構成されている、請求項１に記載の医療器具。
【請求項１２】
光の少なくとも１つの特性を測定するように構成されている少なくとも１つの光検出要素をさらに備えている、請求項１に記載の医療器具。
【請求項１３】
前記光の測定された少なくとも１つの特性に基づいて、所望の組織効果が達成されたかどうかを決定するように構成されているコントローラをさらに備えている、請求項１１に記載の医療器具。
【請求項１４】
組織を治療するためのシステムであって、前記システムは、
医療器具であって、前記医療器具は、
筐体と、
前記筐体に動作可能に接続されているエンドエフェクタアセンブリと
を備え、
前記エンドエフェクタアセンブリは、
各々が組織接触表面を有する第１および第２のジョー部材であって、前記第１および第２のジョー部材のうちの少なくとも１つは、第１の離間位置と第２の近接位置との間で移動可能であり、前記第２の位置において、前記ジョー部材は、前記ジョー部材間に組織を受け取るように構成されている空洞を画定するように協働する、第１および第２のジョー部材と、
前記第１および第２のジョー部材のうちの少なくとも１つに連結された少なくとも１つの発光要素であって、前記少なくとも１つの発光要素は、光エネルギーを前記第１および第２のジョー部材間に把持された組織に送達し、前記組織を治療するように適合されている、少なくとも１つの発光要素と、
前記組織を通過する前記光エネルギーの少なくとも１つの特性を測定するように構成されている少なくとも１つの光検出要素と
を含む、医療器具と、
前記少なくとも１つの光検出要素および前記少なくとも１つの発光要素に連結されたコントローラであって、前記コントローラは、前記組織を通過する前記光エネルギーの前記少なくとも１つの測定された特性に基づいて、前記少なくとも１つの発光要素を制御するように構成されている、コントローラと
を備えている、システム。
【請求項１５】
前記少なくとも１つの発光要素および前記コントローラのうちの少なくとも１つは、前記筐体内に配置されている、請求項１４に記載のシステム。
【請求項１６】
前記組織接触表面のうちの少なくとも１つは、その上に配置されている吸収性コーティングを含み、前記吸収性コーティングは、前記少なくとも１つの発光要素から放出される光エネルギーを吸収し、前記第１および第２のジョー部材のうちの少なくとも１つの少なくとも一部を加熱するように構成されている、請求項１４に記載のシステム。
【請求項１７】
前記組織接触表面のうちの少なくとも１つは、その上に配置されている反射コーティングを含み、前記反射コーティングは、前記少なくとも１つの発光要素から放出される光エネルギーを反射するように構成されている、請求項１４に記載のシステム。
【手続補正２】
【補正対象書類名】明細書
【補正対象項目名】００１２
【補正方法】変更
【補正の内容】
【００１２】
本開示の以下の側面およびその構成要素のいずれも、１つ以上の他の実施形態と交換可能に組み合わせられ得る。例えば、ジョー部材の表面上のコーティングは、実施形態のそれぞれ内に含まれ得、種々の開示される監視および制御プロセスは、種々のジョー部材実施形態とともに使用され得る。
本願明細書は、例えば、以下の項目も提供する。
（項目１）
医療器具であって、
筐体と、
前記筐体に動作可能に接続されているエンドエフェクタアセンブリと
を備え、
前記エンドエフェクタアセンブリは、
各々が組織接触表面を有する第１および第２のジョー部材であって、前記第１および第２のジョー部材のうちの少なくとも１つは、第１の離間位置と第２の近接位置との間で移動可能であり、前記第２の位置において、前記ジョー部材は、前記ジョー部材間に組織を受け取るように構成されている空洞を画定するように協働する、第１および第２のジョー部材と、
前記第１および第２のジョー部材のうちの少なくとも１つに連結された少なくとも１つの発光要素であって、前記少なくとも１つの発光要素は、光エネルギーを前記第１および第２のジョー部材間に把持された組織に送達し、前記組織を治療するように適合されている少なくとも１つの発光要素と
を含む、医療器具。
（項目２）
前記少なくとも１つの発光要素は、介入する光学アセンブリを伴わずに、光を前記組織中に直接放出するように構成されている、項目１に記載の医療器具。
（項目３）
前記少なくとも１つの発光要素に連結された光学アセンブリをさらに備え、前記光学アセンブリは、前記少なくとも１つの発光要素からから放出された光を前記組織に伝達し、前記組織を所望の照射パターンで照射するように構成されている、項目１に記載の医療器具。
（項目４）
前記光学アセンブリは、光ファイバ、屈折要素、反射要素、回折要素、およびそれらの組み合わせのうちの少なくとも１つを含む、項目３に記載の医療器具。
（項目５）
前記光学アセンブリは、前記第１のジョー部材または前記第２のジョー部材のうちの少なくとも１つ内に配置されている、項目４に記載の医療器具。
（項目６）
前記光学アセンブリは、前記第１のジョー部材または前記第２のジョー部材のうちの少なくとも１つによって画定される縦軸に沿って、前記第１のジョー部材または前記第２のジョー部材のうちの少なくとも１つ内を平行移動するように構成されている、項目５に記載の医療器具。
（項目７）
前記少なくとも１つの発光要素は、発光ダイオード、レーザ、およびそれらの組み合わせから成る群から選択される、項目１に記載の医療器具。
（項目８）
前記組織接触表面のうちの少なくとも１つは、吸収性要素を含み、前記吸収性要素は、前記少なくとも１つの発光要素から放出される光エネルギーを吸収し、それによって、前記組織の一部、前記第１のジョー部材、前記第２のジョー部材、およびそれらの組み合わせのうちの少なくとも１つを加熱するように構成されている、項目１に記載の医療器具。
（項目９）
前記組織接触表面のうちの少なくとも１つは、前記組織を通過する光を反射するように構成されている反射要素を含む、項目１に記載の医療器具。
（項目１０）
前記少なくとも１つの発光要素は、前記筐体内に配置されている、項目１に記載の医療器具。
（項目１１）
前記少なくとも１つの発光要素は、前記第１のジョー部材または前記第２のジョー部材のうちの少なくとも１つによって画定される縦軸に沿って、前記第１のジョー部材または前記第２のジョー部材のうちの少なくとも１つ内を平行移動するように構成されている、項目１に記載の医療器具。
（項目１２）
光の少なくとも１つの特性を測定するように構成されている少なくとも１つの光検出要素をさらに備えている、項目１に記載の医療器具。
（項目１３）
前記光の測定された少なくとも１つの特性に基づいて、所望の組織効果が達成されたかどうかを決定するように構成されているコントローラをさらに備えている、項目１１に記載の医療器具。
（項目１４）
組織を治療するためのシステムであって、前記システムは、
医療器具であって、前記医療器具は、
筐体と、
前記筐体に動作可能に接続されているエンドエフェクタアセンブリと
を備え、
前記エンドエフェクタアセンブリは、
各々が組織接触表面を有する第１および第２のジョー部材であって、前記第１および第２のジョー部材のうちの少なくとも１つは、第１の離間位置と第２の近接位置との間で移動可能であり、前記第２の位置において、前記ジョー部材は、前記ジョー部材間に組織を受け取るように構成されている空洞を画定するように協働する、第１および第２のジョー部材と、
前記第１および第２のジョー部材のうちの少なくとも１つに連結された少なくとも１つの発光要素であって、光エネルギーを前記第１および第２のジョー部材間に把持された組織に送達し、前記組織を治療するように適合されている少なくとも１つの発光要素と、
前記組織を通過する光エネルギーの少なくとも１つの特性を測定するように構成されている少なくとも１つの光検出要素と
を含む、医療器具と、
前記少なくとも１つの光検出要素および前記少なくとも１つの発光要素に連結されたコントローラであって、前記コントローラは、前記組織を通過する前記光エネルギーの前記少なくとも１つの測定された特性に基づいて、前記少なくとも１つの発光要素を制御するように構成されている、コントローラと
を備えている、システム。
（項目１５）
前記少なくとも１つの発光要素および前記コントローラのうちの少なくとも１つは、前記筐体内に配置されている、項目１４に記載のシステム。
（項目１６）
前記組織接触表面のうちの少なくとも１つは、その上に配置されている吸収性コーティングを含み、前記吸収性コーティングは、前記少なくとも１つの発光要素から放出される光エネルギーを吸収し、前記第１および第２のジョー部材のうちの少なくとも１つの少なくとも一部を加熱するように構成されている、項目１４に記載のシステム。
（項目１７）
前記組織接触表面のうちの少なくとも１つは、その上に配置されている反射コーティングを含み、前記反射コーティングは、前記少なくとも１つの発光要素から放出される光エネルギーを反射するように構成されている、項目１４に記載の医療器具。
（項目１８）
組織を治療する方法であって、
第１および第２のジョー部材間に組織を把持することであって、前記第１および第２のジョー部材のうちの少なくとも１つは、第１の離間位置と第２の近接位置との間で移動可能であり、前記第２の位置において、前記ジョー部材は、前記ジョー部材間に組織を受け取るように構成されている空洞を画定するように協働する、ことと、
光エネルギーを前記第１および第２のジョー部材間に把持された前記組織に印加することと、
前記組織に印加される前記光エネルギーの少なくとも１つの特性を測定することと、
前記光エネルギーの前記少なくとも１つの測定された特性に基づいて、前記光エネルギーを制御することと
を含む、方法。
（項目１９）
前記第１および第２のジョー部材のうちの少なくとも１つは、
光エネルギーを前記第１および第２のジョー部材間に把持された組織に送達し、前記組織を治療するように適合されている少なくとも１つの発光要素と、
前記組織に印加された前記光エネルギーの少なくとも１つの特性を測定するように構成されている少なくとも１つの光検出要素と
を含む、項目１８に記載の方法。